(57)【要約】【課題】給電情報画面の作成にともなう負荷が所定水準を超えた場合に過負荷状態である旨を通知可能な画面作成装置、画面作成装置の画面作成方法、及びプログラムを提供する。【解決手段】給電情報画面を作成するための画面作成情報が記憶される記憶部と、記憶部から読み出される画面作成情報を用いて給電情報画面を作成する作成部と、記憶部内の画面作成情報を更新する更新部と、更新部が記憶部内の画面作成情報を更新した場合、作成部が画面作成情報を用いて所定周期で作成する給電情報画面の枚数が、設定枚数を超えるか否かを判別する判別部と、給電情報画面の作成枚数が設定枚数を超えるものと判別部が判別した場合、作成部が過負荷状態である旨を通知する通知部と、を備えてなる画面作成装置。【選択図】図１
2008125287.tif 000002
【特許請求の範囲】
【請求項１】
給電情報画面を作成するための画面作成情報が記憶される記憶部と、
前記記憶部から読み出される前記画面作成情報を用いて前記給電情報画面を作成する作成部と、
前記記憶部内の前記画面作成情報を更新する更新部と、
前記更新部が前記記憶部内の前記画面作成情報を更新した場合、前記作成部が当該画面作成情報を用いて所定周期で作成する前記給電情報画面の枚数が、設定枚数を超えるか否かを判別する判別部と、
前記給電情報画面の作成枚数が前記設定枚数を超えるものと前記判別部が判別した場合、前記作成部が過負荷状態である旨を通知する通知部と、
を備えたことを特徴とする画面作成装置。
【請求項２】
前記判別部は、前記給電情報画面の作成枚数を示す枚数情報に基づいて判別を行う、
ことを特徴とする請求項１に記載の画面作成装置。
【請求項３】
前記給電情報画面の作成枚数が前記設定枚数を超えるものと前記判別部が判別した場合、前記所定周期を一定期間長く設定する設定部、
を備えたことを特徴とする請求項１に記載の画面作成装置。
【請求項４】
前記給電情報画面の作成枚数が前記設定枚数を超えるものと前記判別部が判別した場合、前記給電情報画面の作成枚数が前記設定枚数を超える枚数に応じた期間、前記所定周期を長く設定する設定部、
を備えたことを特徴とする請求項１に記載の画面作成装置。
【請求項５】
前記記憶部は、複数の給電地区の給電情報画面を作成するための複数の画面作成情報を記憶し、
前記複数の給電地区の一部の給電情報画面の作成枚数が前記設定枚数を超えるものと前記判別部が判別した場合、前記複数の給電地区の全給電情報画面の作成枚数が前記設定枚数以下となるように、前記複数の各給電地区の給電情報画面の作成枚数を調整する調整部、
を備えたことを特徴とする請求項１に記載の画面作成装置。
【請求項６】
前記通知部は、前記作成部が過負荷状態である旨をアラームで通知する、
ことを特徴とする請求項１に記載の画面作成装置。
【請求項７】
複数種類の給電情報画面を各々作成するための要求信号が記憶され、前記要求信号が優先順に読み出される第１記憶部と、
前記複数種類の給電情報画面を作成するための画面作成情報が記憶され、前記第１記憶部から読み出される前記要求信号に対応する前記画面作成情報が読み出される第２記憶部と、
前記第２記憶部から読み出される前記画面作成情報を用いて前記給電情報画面を作成する作成部と、
時間を計時する計時部と、
前記計時部が所定時間を計時した場合、前記要求信号が前記第１記憶部に記憶されているか否かを判別する判別部と、
前記要求信号が前記第１記憶部に記憶されているものと前記判別部が判別した場合、前記作成部が過負荷状態である旨を通知する通知部と、
を備えたことを特徴とする画面作成装置。
【請求項８】
前記計時部が所定時間を計時する都度、前記計時部の計時時間を初期化する初期化部と、
前記要求信号が前記第１記憶部に記憶されているものと前記判別部が連続して判別した回数を計数する計数部、を更に備え、
前記通知部は、前記計数部の計数値が所定値を超えた場合、前記作成部が過負荷状態である旨を通知する、
ことを特徴とする請求項７に記載の画面作成装置。
【請求項９】
前記通知部は、前記作成部が過負荷状態である旨をアラームで通知する、
ことを特徴とする請求項７又は８に記載の画面作成装置。
【請求項１０】
給電情報画面を作成するための画面作成情報が記憶される記憶部と、前記記憶部から読み出される前記画面作成情報を用いて前記給電情報画面を作成する作成部と、を備えた画面作成装置の画面作成方法であって、
前記記憶部内の前記画面作成情報を更新し、
前記記憶部内の前記画面作成情報が更新された場合、前記作成部が当該画面作成情報を用いて所定周期で作成する前記給電情報画面の枚数が、設定枚数を超えるか否かを判別し、
前記給電情報画面の作成枚数が前記設定枚数を超えるものと判別された場合、前記作成部が過負荷状態である旨を通知する、
ことを特徴とする画面作成装置の画面作成方法。
【請求項１１】
複数種類の給電情報画面を各々作成するための要求信号が記憶され、前記要求信号が優先順に読み出される第１記憶部と、前記複数種類の給電情報画面を作成するための画面作成情報が記憶され、前記第１記憶部から読み出される前記要求信号に対応する前記画面作成情報が読み出される第２記憶部と、前記第２記憶部から読み出される前記画面作成情報を用いて前記給電情報画面を作成する作成部と、を備えた画面作成装置の画面作成方法であって、
時間を計時し、
所定時間が計時された場合、前記要求信号が前記第１記憶部に記憶されているか否かを判別し、
前記要求信号が前記第１記憶部に記憶されているものと判別された場合、前記作成部が過負荷状態である旨を通知する、
ことを特徴とする画面作成装置の画面作成方法。
【請求項１２】
給電情報画面を作成するための画面作成情報が記憶される記憶部と、前記記憶部から読み出される前記画面作成情報を用いて前記給電情報画面を作成する作成部と、を備えた画面作成装置における画面作成動作を制御するコンピュータに、
前記記憶部内の前記画面作成情報を更新する手順と、
前記記憶部内の前記画面作成情報が更新された場合、前記作成部が当該画面作成情報を用いて所定周期で作成する前記給電情報画面の枚数が、設定枚数を超えるか否かを判別する手順と、
前記給電情報画面の作成枚数が前記設定枚数を超えるものと判別された場合、前記作成部が過負荷状態である旨を通知する手順と、
を実行させるためのプログラム。
【請求項１３】
複数種類の給電情報画面を各々作成するための要求信号が記憶され、前記要求信号が優先順に読み出される第１記憶部と、前記複数種類の給電情報画面を作成するための画面作成情報が記憶され、前記第１記憶部から読み出される前記要求信号に対応する前記画面作成情報が読み出される第２記憶部と、前記第２記憶部から読み出される前記画面作成情報を用いて前記給電情報画面を作成する作成部と、を備えた画面作成装置における画面作成動作を制御するコンピュータに、
時間を計時する手順と、
所定時間が計時された場合、前記要求信号が前記第１記憶部に記憶されているか否かを判別する手順と、
前記要求信号が前記第１記憶部に記憶されているものと判別された場合、前記作成部が過負荷状態である旨を通知する手順と、
を実行させるためのプログラム。
【発明の詳細な説明】
【技術分野】
【０００１】
本発明は、画面作成装置、画面作成装置の画面作成方法、及びプログラムに関する。
【背景技術】
【０００２】
電力系統における遮断器の開閉等に関する最新の給電情報を電力系統図とともに各事業所の担当者の閲覧に供するために、この電力系統を監視する監視制御装置からの給電情報に基づいて、ディスプレイにおける給電情報画面を作成する画面作成装置が知られている。この画面作成装置は、例えば、監視制御装置と通信可能に接続して並設され、この監視制御装置から出力される給電情報に基づいて給電情報画面を作成する専用端末として知られている。監視制御装置が設置されている制御所の担当者は、この専用端末のディスプレイ上で、適時更新される電力系統図等を閲覧できる。
【０００３】
一方、前述した専用端末ではなく、例えばインターネットに対応する汎用ブラウザがインストールされたパーソナルコンピュータ等を通じて、電力系統図に基づいた停電・瞬低エリア図を閲覧するための技術が知られている（例えば、特許文献１参照。）。この技術によれば、画面作成装置は、複数の監視制御装置からの給電情報や事故情報等を一括管理し、電力系統が電力を供給する複数のサイトのそれぞれに応じた停電・瞬低エリア図を適時更新し、各サイトの端末（パーソナルコンピュータ等）にＷｅｂページとして送信できる。Ｗｅｂページを作成する方法として、表示要求の都度作成する方法と、必要な全てのＷｅｂページを予め作成する方法とがあるが、表示要求の都度作成する方法では、表示要求が増えると、画面作成装置の負荷が上昇し、レスポンスが低下する傾向にある。
【０００４】
ところで、電力系統から電力を供給する地域は、例えば中国地方全域といった広範囲に及ぶことが一般的である。このように電力の供給範囲が広くなるほど、これを複数に分割したサイトごとに閲覧される電力系統図どうしの相違は大きくなる。よって、画面作成装置が処理するべき電力系統図たる給電情報画面の延べ枚数は、電力の供給範囲が広いほど多くなる傾向にある。そこで、前述した停電・瞬低エリア図の場合と同様、給電情報画面を例えば各サイトに応じたＷｅｂページとして作成する場合、サイトごとに所定枚数のＷｅｂページを予め作成しておき、監視制御装置からの給電情報の更新にともなってＷｅｂページに一部変更を加え、これを各サイトの端末に送信する方法が考えられる。
【特許文献１】特開２００６−１４９０２６号公報
【発明の開示】
【発明が解決しようとする課題】
【０００５】
しかしながら、例えば１枚の給電情報画面であっても、その開示範囲には、電気事業法に基づく特定規模電気事業者（ＰＰＳ：Power Producer and Supplier）等の情報に関し各事業所の担当者の端末ごとに異なる制限（情報遮断）を付す必要があるため、この給電情報画面の枚数は、情報遮断の設定のし方に応じたものとなる。その上、もし情報遮断の設定に変更が生じた場合、給電情報画面の枚数は更に増大する可能性がある。また、給電情報画面のメインテナンスも、その枚数が増大する要因となり得る。
【０００６】
一般に、作成するべき給電情報画面の枚数が増大するほど、画面作成装置が給電情報画面の作成に要する時間はより長くなる。もし、この時間が所定の画面更新周期よりも長くなった場合（即ち、画面作成装置が過負荷状態になった場合）、これは、画面作成装置が各端末に対しタイムリーに給電情報画面を送信できなくなっていることに等しい。そこで、過負荷状態となった場合、これを察知した管理者は、例えば、作成するべき給電情報画面の枚数を人為的に削減する等の対応をすることになる。一方、管理者がこの過負荷状態を看過した場合、例えば各サイトの端末のユーザは、給電情報画面を閲覧するに際し、その画面更新周期が不定期に長くなるといった不便を感じる虞がある。
【０００７】
本発明はかかる課題に鑑みてなされたものであり、その目的とするところは、給電情報画面の作成にともなう負荷が所定水準を超えた場合に過負荷状態である旨を通知可能な画面作成装置、画面作成装置の画面作成方法、及びプログラムを提供することにある。
【課題を解決するための手段】
【０００８】
前記課題を解決するための発明は、給電情報画面を作成するための画面作成情報が記憶される記憶部と、前記記憶部から読み出される前記画面作成情報を用いて前記給電情報画面を作成する作成部と、前記記憶部内の前記画面作成情報を更新する更新部と、前記更新部が前記記憶部内の前記画面作成情報を更新した場合、前記作成部が当該画面作成情報を用いて所定周期で作成する前記給電情報画面の枚数が、設定枚数を超えるか否かを判別する判別部と、前記給電情報画面の作成枚数が前記設定枚数を超えるものと前記判別部が判別した場合、前記作成部が過負荷状態である旨を通知する通知部と、を備えた画面作成装置である。
【０００９】
この画面作成装置によれば、給電情報画面の更新の都度、所定周期で作成するこの給電情報画面の枚数が設定枚数を超えるか否かが判別されて、もし前記枚数が設定枚数を超える場合には、過負荷状態の旨が例えば管理者に通知される。この設定枚数を、画面作成装置に対する所定水準の負荷に相当するように予め設定しておけば、この負荷が所定水準を超えた場合には、前記通知が行われることになる。
【００１０】
また、かかる画面作成装置において、前記判別部は、前記給電情報画面の作成枚数を示す枚数情報に基づいて判別を行う、こととしてもよい。  
この画面作成装置によれば、判別部は、枚数情報から、所定周期で作成する給電情報画面の枚数を求めることができるため、前記判別を効率良く実行できる。
【００１１】
また、かかる画面作成装置において、前記給電情報画面の作成枚数が前記設定枚数を超えるものと前記判別部が判別した場合、前記所定周期を一定期間長く設定する設定部、を備えたこととしてもよい。  
この画面作成装置によれば、前記一定期間を、作成部が設定枚数を超える枚数の給電情報画面を作成できるように設定すれば、この作成部の過負荷状態を解消することができる。
【００１２】
また、かかる画面作成装置において、前記給電情報画面の作成枚数が前記設定枚数を超えるものと前記判別部が判別した場合、前記給電情報画面の作成枚数が前記設定枚数を超える枚数に応じた期間、前記所定周期を長く設定する設定部、を備えたこととしてもよい。  
この画面作成装置によれば、設定部は、作成部の過負荷状態を解消可能な給電情報画面の作成枚数を自動的に設定できる。
【００１３】
また、かかる画面作成装置において、前記記憶部は、複数の給電地区の給電情報画面を作成するための複数の画面作成情報を記憶し、前記複数の給電地区の一部の給電情報画面の作成枚数が前記設定枚数を超えるものと前記判別部が判別した場合、前記複数の給電地区の全給電情報画面の作成枚数が前記設定枚数以下となるように、前記複数の各給電地区の給電情報画面の作成枚数を調整する調整部、を備えたこととしてもよい。  
この画面作成装置によれば、複数の給電地区の一部の給電情報画面の作成枚数が該当の設定枚数を超えた場合、調整部は、全給電情報画面の各作成枚数が各設定枚数以下となるように調整できる。よって、作成部の過負荷状態を解消することができる。
【００１４】
また、かかる画面作成装置において、前記通知部は、前記作成部が過負荷状態である旨をアラームで通知する、こととしてもよい。  
この画面作成装置によれば、例えば画面作成装置の管理者は、アラームの通知を受けると、過負荷状態を解消するための対応等を迅速に実行できる。
【００１５】
また、前記課題を解決するための発明は、複数種類の給電情報画面を各々作成するための要求信号が記憶され、前記要求信号が優先順に読み出される第１記憶部と、前記複数種類の給電情報画面を作成するための画面作成情報が記憶され、前記第１記憶部から読み出される前記要求信号に対応する前記画面作成情報が読み出される第２記憶部と、前記第２記憶部から読み出される前記画面作成情報を用いて前記給電情報画面を作成する作成部と、時間を計時する計時部と、前記計時部が所定時間を計時した場合、前記要求信号が前記第１記憶部に記憶されているか否かを判別する判別部と、前記要求信号が前記第１記憶部に記憶されているものと前記判別部が判別した場合、前記作成部が過負荷状態である旨を通知する通知部と、を備えた画面作成装置である。  
この画面作成装置によれば、所定時間経過しても第１記憶部に要求信号が残っている場合には、過負荷状態の旨が例えば管理者に通知される。この要求信号が第１記憶部に残り続ける所定時間を、画面作成装置に対する所定水準の負荷に相当するように予め設定しておけば、この負荷が所定水準を超えた場合には、前記通知が行われることになる。
【００１６】
また、かかる画面作成装置において、前記計時部が所定時間を計時する都度、前記計時部の計時時間を初期化する初期化部と、前記要求信号が前記第１記憶部に記憶されているものと前記判別部が連続して判別した回数を計数する計数部、を更に備え、前記通知部は、前記計数部の計数値が所定値を超えた場合、前記作成部が過負荷状態である旨を通知する、こととしてもよい。  
この画面作成装置によれば、所定時間経過しても第１記憶部に要求信号が残っているか否かの判別を、計数部の計数値が所定値を超えたか否かの判別により効率良く実行できる。
【００１７】
また、かかる画面作成装置において、前記通知部は、前記作成部が過負荷状態である旨をアラームで通知する、こととしてもよい。  
この画面作成装置によれば、例えば画面作成装置の管理者は、アラームの通知を受けると、過負荷状態を解消するための対応等を迅速に実行できる。
【００１８】
また、前記課題を解決するための発明は、給電情報画面を作成するための画面作成情報が記憶される記憶部と、前記記憶部から読み出される前記画面作成情報を用いて前記給電情報画面を作成する作成部と、を備えた画面作成装置の画面作成方法であって、前記記憶部内の前記画面作成情報を更新し、前記記憶部内の前記画面作成情報が更新された場合、前記作成部が当該画面作成情報を用いて所定周期で作成する前記給電情報画面の枚数が、設定枚数を超えるか否かを判別し、前記給電情報画面の作成枚数が前記設定枚数を超えるものと判別された場合、前記作成部が過負荷状態である旨を通知する。
【００１９】
また、前記課題を解決するための発明は、複数種類の給電情報画面を各々作成するための要求信号が記憶され、前記要求信号が優先順に読み出される第１記憶部と、前記複数種類の給電情報画面を作成するための画面作成情報が記憶され、前記第１記憶部から読み出される前記要求信号に対応する前記画面作成情報が読み出される第２記憶部と、前記第２記憶部から読み出される前記画面作成情報を用いて前記給電情報画面を作成する作成部と、を備えた画面作成装置の画面作成方法であって、時間を計時し、所定時間が計時された場合、前記要求信号が前記第１記憶部に記憶されているか否かを判別し、前記要求信号が前記第１記憶部に記憶されているものと判別された場合、前記作成部が過負荷状態である旨を通知する。
【００２０】
また、前記課題を解決するための発明は、給電情報画面を作成するための画面作成情報が記憶される記憶部と、前記記憶部から読み出される前記画面作成情報を用いて前記給電情報画面を作成する作成部と、を備えた画面作成装置における画面作成動作を制御するコンピュータに、前記記憶部内の前記画面作成情報を更新する手順と、前記記憶部内の前記画面作成情報が更新された場合、前記作成部が当該画面作成情報を用いて所定周期で作成する前記給電情報画面の枚数が、設定枚数を超えるか否かを判別する手順と、前記給電情報画面の作成枚数が前記設定枚数を超えるものと判別された場合、前記作成部が過負荷状態である旨を通知する手順と、を実行させるためのプログラムである。
【００２１】
また、前記課題を解決するための発明は、複数種類の給電情報画面を各々作成するための要求信号が記憶され、前記要求信号が優先順に読み出される第１記憶部と、前記複数種類の給電情報画面を作成するための画面作成情報が記憶され、前記第１記憶部から読み出される前記要求信号に対応する前記画面作成情報が読み出される第２記憶部と、前記第２記憶部から読み出される前記画面作成情報を用いて前記給電情報画面を作成する作成部と、を備えた画面作成装置における画面作成動作を制御するコンピュータに、時間を計時する手順と、所定時間が計時された場合、前記要求信号が前記第１記憶部に記憶されているか否かを判別する手順と、前記要求信号が前記第１記憶部に記憶されているものと判別された場合、前記作成部が過負荷状態である旨を通知する手順と、を実行させるためのプログラムである。
【発明の効果】
【００２２】
給電情報画面の作成にともなう負荷が所定水準を超えた場合に過負荷状態である旨を通知できる。
【発明を実施するための最良の形態】
【００２３】
＝＝＝画面作成装置の構成＝＝＝
図１乃至図３を参照しつつ、本実施の形態の画面データ変換装置（画面作成装置）１０の構成例について説明する。  
図１に例示されるように、本実施の形態の画面データ変換装置１０は、コンテンツ作成部１００と、システム管理部１１０と、コンテンツ提供部１２０とを備えて構成される情報処理装置である。尚、同図は、本実施の形態の画面データ変換装置１０を含む画面データ変換システム１の構成例を示すブロック図である。
【００２４】
本実施の形態の画面データ変換装置１０は、複数の制御所サーバ２と、通信網３を介して接続されている。ここで、制御所サーバ２は、電力系統が電力を供給する複数のサイト（サイトＡ乃至サイトＭ）の制御所に設置されて電力系統を監視し給電情報を生成して出力する周知の情報処理装置である。また、本実施の形態の画面データ変換装置１０は、例えば各サイトの事業所等に帰属される複数の汎用性の端末５と、通信網４及びＷＷＷサーバ２０を介して接続されている。このような通信接続を通じて画面データ変換システム１を構成することにより、制御所サーバ２から送信される画面作画情報（画面作成情報）及び給電情報（画面作成情報）は、画面データ変換装置１０により給電情報画面に変換され、例えばＷｅｂページとして各端末５に配信されることになる。尚、前述したサイトとは、電力系統が電力を供給する給電地区を示すとともに、本実施の形態の画面データ変換装置１０が給電情報画面（以後、単に「画面」と称する）を作成する基本単位を示すものである。即ち、本実施の形態では、前記給電地区と前記基本単位とは等価であるものとする。
【００２５】
<<<コンテンツ作成部>>>
コンテンツ作成部１００は、画面作画情報及び給電情報に基づいて画面のコンテンツを作成する複数の変換ユニットを備えて構成されている。図１の例示では、コンテンツ作成部１００は、第１変換ユニット１０１、第２変換ユニット１０２、第３変換ユニット１０３、及び第４変換ユニット１０４からなっており、例えば第１変換ユニット１０１は、更に、ＣＰＵ１０１ａ、タイマ１０１ｂ、カウンタ１０１ｃ、画面作画情報記憶部１０１ｄ、給電情報記憶部（記憶部、第２記憶部）１０１ｅ、及び要求待ち情報記憶部（第１記憶部）１０１ｆを備えて構成される情報処理装置である。尚、図示していないが、第２変換ユニット１０２、第３変換ユニット１０３、第４変換ユニット１０４も、第１変換ユニット１０１の構成と同様の構成を備えているものとする。
【００２６】
各変換ユニット（第１変換ユニット１０１、第２変換ユニット１０２、第３変換ユニット１０３、第４変換ユニット１０４）には、後述するように、複数のサイトが割り当てられており、各変換ユニットは、割り当てられたサイトの制御所サーバ２からの画面作画情報及び給電情報に基づいて、各端末５に応じた画面を作成し、コンテンツ提供部１２０に出力する機能を有している。ここで、本実施の形態の画面作画情報は、端末５のディスプレイに電力系統図（画面）を表示するための情報であり、例えば電力系統における種々の計測値を描画するための座標位置等の情報を含むものである。また、本実施の形態の給電情報は、電力系統における遮断器の開閉等の二値情報、種々の計測値の情報や記録情報等である。本実施の形態の変換ユニットは、この画面作画情報及び給電情報に基づいて、複数枚の画面を作成するものである。尚、本実施の形態では、前述した「画面作画情報」と、前述した「給電情報」とを区別しているが、これらを一括して「給電情報」とみなしてもよい。
【００２７】
第１変換ユニット１０１におけるタイマ（計時部）１０１ｂ、カウンタ（計数部）１０１ｃ、及び要求待ち情報記憶部１０１ｆは、後述するように、画面の作成要求の待ち行列に要求が残っている状態の積算時間に応じて、第１変換ユニット１０１が過負荷状態にあるか否かを判別するという機能を果たすための構成である。これは他の変換ユニットに関しても同様である。
【００２８】
<<<システム管理部>>>
システム管理部１１０は、コンテンツ作成部１００及びコンテンツ提供部１２０を統括管理する情報処理装置であり、画面作成枚数情報記憶部１１０ａ、閾値情報記憶部１１０ｂ、及び設定情報記憶部１１０ｃを備えて構成されている。システム管理部１１０は、後述するように、画面作画情報に含まれた形式で制御所サーバ２から送信される画面作成枚数情報の示す枚数に応じて、この画面作画情報を処理する変換ユニットが過負荷状態であるか否かを判別する機能を有している。ここで、画面作成枚数情報記憶部１１０ａ及び閾値情報記憶部１１０ｂは、この判別機能を果たすための情報を記憶するものである。閾値情報記憶部１１０ｂは、前述した枚数の閾値（設定枚数）の情報を予め記憶するとともに、前述した積算時間の閾値（所定値）の情報も予め記憶するものである。設定情報記憶部１１０ｃは、変換ユニットに対する複数のサイトの割り当てを設定する表データや、画面の作成周期を設定する表データ等の設定情報を予め記憶するものである。また、システム管理部１１０は、コンテンツ作成部１００における各変換ユニットの前述した判別結果、或いは、システム管理部１１０の前述した判別結果に応じて、画面データ変換装置１０の管理者にこの判別結果を通知するためのスピーカ１１０ｄを備えている。
【００２９】
<<<<コンテンツ提供部>>>
コンテンツ提供部１２０は、各変換ユニットから出力される画面を一括して記憶するコンテンツ情報記憶部１２０ａを備え、各端末５から送信されるＵＲＬ等に応じて、コンテンツ情報記憶部１２０ａに記憶されている画面を読み出してＷＷＷサーバ２０に送信する機能を有する情報処理装置である。  
以上、本実施の形態では、コンテンツ作成部１００における各変換ユニット、システム管理部１１０、及びコンテンツ提供部１２０は後述する通知動作及び過負荷状態解消動作を実行するためのプログラムを所定のメモリ（不図示）に記憶しているものとする。
【００３０】
<<<要求待ち情報>>
図２（ａ）に例示されるように、本実施の形態の要求待ち情報記憶部１０１ｆに記憶される要求待ち情報は、画面作画情報又は給電情報の更新にともなう画面の作成要求を、この要求情報（要求信号）の発生順番（即ち、制御所サーバ２から画面作画情報又は給電情報を受信した順番）と対応付けて記憶するものである。尚、同図は、本実施の形態の画面の作成要求の待ち行列を示す要求待ち情報の構成例を示す図表である。要求情報は、例えば、画面の種類を示す情報であり、同図の例示では、「電力系統マクロ」、「電力系統全体系統」、「電力系統（第１、２、３）スケルトン」等となっている。例えば、第１変換ユニット１０１は、対応する制御所サーバ２から給電情報を受信すると、この給電情報に該当する画面の種類を示す要求情報を、受信順番と対応付けて要求待ち情報記憶部１０１ｆに記憶させるとともに、この給電情報を、要求情報と対応付けて給電情報記憶部１０１ｅに記憶させるようになっている。そして、第１変換ユニット１０１は、要求待ち情報記憶部１０１ｆに記憶された要求情報のうち受信順番の最も早い（優先順位の最も高い）要求情報を読み出すと、この要求情報に該当する給電情報を給電情報記憶部１０１ｅから読み出し、この給電情報と画面作画情報記憶部１０１ｄに記憶された画面作画情報とに基づいて、複数枚の画面を作成し、この画面をコンテンツ情報提供部１２０に出力するようになっている。これは他の変換ユニットに関しても同様である。
【００３１】
<<<画面作成枚数情報>>>
図２（ｂ）に例示されるように、本実施の形態の画面作成枚数情報記憶部１１０ａに記憶される画面作成枚数情報（枚数情報）は、現時点で、所定の作成周期（例えば１分間）における各サイトの画面の作成枚数を示す情報である。尚、同図は、本実施の形態の画面作成枚数を示す画面作成枚数情報の構成例を示す図表である。本実施の形態では、この画面作成枚数情報は、各サイトの制御所サーバ２から送信される画面作画情報に含まれているものとする。例えば、第１変換ユニット１０１は、制御所サーバ２から画面作画情報を受信すると、この画面作画情報を画面作画情報記憶部１０１ｄに記憶させるとともに、この画面作画情報から画面作成枚数情報を抽出して、この画面作成枚数情報をシステム管理部１１０に出力するようになっている。これは他の変換ユニットに関しても同様である。一方、システム管理部１１０は、各変換ユニットから出力される画面作成枚数情報をサイトごとに画面作成枚数情報記憶部１１０ａに記憶させるようになっている。
【００３２】
<<<画面作成枚数閾値情報記憶部>>>
図２（ｃ）に例示されるように、本実施の形態の閾値情報記憶部１１０ｂに記憶される画面作成枚数閾値情報は、各変換ユニットが処理可能な電力系統図の最大枚数たる閾値を示す情報である。尚、同図は、本実施の形態の画面作成枚数の閾値を示す画面作成枚数閾値情報の構成例を示す図表である。この閾値は、変換ユニットごとに、例えば、所定の作成周期（例えば１分間）内で作成可能な電力系統図の枚数として予め設定されているものとする。例えば、第１変換ユニット１０１の場合、閾値は、ＣＰＵ１０１ａの性能や各種記憶部１０１ｄ、１０１ｅ、１０１ｆの容量等に基づいて一義的に設定される。これは他の変換ユニットに関しても同様である。
【００３３】
<<<サイト割当設定情報>>>
図３（ａ）に例示されるように、本実施の形態の設定情報記憶部１１０ｃに記憶されるサイト割当設定情報は、複数の変換ユニットに対する複数のサイトの割り当て方を示す表データである。尚、同図は、本実施の形態の複数の変換ユニットに対するサイトの割り当てを設定するためのサイト割当設定情報の構成例を示す図表である。同図の例示によれば、第１変換ユニット１０１には、サイトＡ、サイトＢ、サイトＣ、及びサイトＤが割り当てられているため、第１変換ユニット１０１は、これらのサイトの制御所サーバ２から送信される画面作画情報及び給電情報に基づいて画面を作成するようになっている。これは他の変換ユニットに関しても同様である。後述するように、本実施の形態のシステム管理部１１０は、サイト割当設定情報における対応付けを変更することにより、各変換ユニットに対する負荷の平準化を行うようになっている。
【００３４】
<<<作成周期設定情報>>>
図３（ｂ）に例示されるように、本実施の形態の設定情報記憶部１１０ｃに記憶される作成周期設定情報は、ユーザ（「第１ユーザ」や「第２ユーザ」等）の端末５に応じて、各画面の作成周期を予め定めた表データである。尚、同図は、本実施の形態の画面の作成周期を設定するための作成周期設定情報の構成例を示す図表である。同図の例示によれば、電力系統マクロ等の画面の表示は、或るユーザの端末５に対しては６０秒（１分）周期で更新される一方、他のユーザの端末５に対しては１８０秒（３分）周期で更新されるように予め設定されている。後述するように、本実施の形態のシステム管理部１１０は、作成周期設定情報における作成周期をより長く変更することにより、特定の変換ユニットの過負荷状態を解消するようになっている。
【００３５】
＝＝＝画面作成装置の通知動作＝＝＝
図４及び図５を参照しつつ、前述した構成を備えた画面データ変換装置１０が過負荷状態を自己検出してその旨を管理者に通知するまでの動作について説明する。尚、図４は、本実施の形態の画面データ変換装置１０が過負荷を検出して通知等を行う際の処理手順の一例を示すフローチャートである。図５は、本実施の形態の要求待ち情報記憶部１０１ｆにおける要求情報の待ち行列の状態及びその状態の時間変化を示す模式図である。  
図４に例示されるように、画面データ変換装置１０は、制御所サーバ２から、更新された画面作画情報を受信したか否かを判別する（Ｓ１００）。
【００３６】
<<<作成枚数超過による過負荷>>>
画面作画情報を受信したと判別した場合（Ｓ１００：ＹＥＳ）、画面データ変換装置１０は、この受信した情報により、画面作画情報記憶部（例えば画面作画情報記憶部１０１ｄ）に記憶された画面作画情報を更新する（Ｓ１０１）。例えば、画面データ変換装置１０がサイトＢの制御所サーバ２から画面作画情報を受信した場合、このサイトＢが割り当てられている第１変換ユニット１０１が、画面作画情報記憶部１０１ｄにおけるサイトＢに該当する画面作画情報を更新する。
【００３７】
また、画面データ変換装置１０は、受信した画面作画情報から画面作成枚数情報を抽出し、この画面作成枚数情報を画面作成枚数情報記憶部１１０ａに記憶させる（Ｓ１０２）。例えば、第１変換ユニット１０１がサイトＢに該当する新たな画面作成枚数（例えば２００枚）を取得した場合、この画面作成枚数情報をシステム管理部１１０に出力する。システム管理部１１０は、この画面作成枚数情報を画面作成枚数情報記憶部１１０ａに記憶させる。
【００３８】
画面データ変換装置１０は、画面作成枚数情報記憶部１１０ａにおいて、前記更新された画面作画情報を処理する変換ユニットに割り当てられた全てのサイトの画面作成枚数を合計し、この合計値が、閾値情報記憶部１１０ｂに記憶された画面作成枚数閾値を超えているか否かを判別する（Ｓ１０３）。例えば、前述したサイトＢに該当する新たな画面作成枚数が２００枚である場合、システム管理部１１０は、この２００枚に対し更に、第１変換ユニット１０１に割り当てられたサイトＡ（２００枚）、サイトＣ（２４０枚）、サイトＤ（１８０枚）の画面作成枚数を加算して、その合計値を８２０枚と求める。次に、システム管理部１１０は、前記合計値８２０枚と、第１変換ユニット１０１の画面作成枚数閾値である８００枚とを比較し、前記合計値が閾値を超えていると判別する。
【００３９】
画面作成枚数の合計値が画面作成枚数閾値を超えていないと判別した場合（Ｓ１０３：ＮＯ）、画面データ変換装置１０は、前述したステップＳ１００の処理を再度実行する。
【００４０】
画面作成枚数の合計値が画面作成枚数閾値を超えていると判別した場合（Ｓ１０３：ＹＥＳ）、画面データ変換装置１０は、スピーカ１１０ｄを通じてアラーム等を発し、過負荷（画面作成枚数超過）状態の旨を管理者に通知する（Ｓ１０４）。また、画面データ変換装置１０は、これに接続された所定のディスプレイ上で、過負荷（画面作成枚数超過）状態の旨を表示する。
【００４１】
次に、画面データ変換装置１０は、過負荷状態を解消するべく、各変換ユニットに対する後述するサイトの割り当ての設定を変更したり、後述する画面の作成周期の設定を変更したりする（Ｓ１０５）。
【００４２】
<<<要求情報残存による過負荷>>>
画面作画情報を受信していないと判別した場合（Ｓ１００：ＮＯ）、画面データ変換装置１０は、制御所サーバ２から、更新された給電情報を受信したか否かを判別する（Ｓ１０６）。
【００４３】
給電情報を受信したと判別した場合（Ｓ１０６：ＹＥＳ）、画面データ変換装置１０は、タイマ（例えばタイマ１０１ｂ）が所定時刻を計時したか否かを更に判別し（Ｓ１０７）、タイマが所定時刻を計時したと判別した場合（Ｓ１０７：ＹＥＳ）、要求待ち情報記憶部（例えば要求待ち情報記憶部１０１ｆ）に要求情報が残っていないかを判別する（Ｓ１０８）。ここで、ステップＳ１０７で計時される所定時刻は、本実施の形態の画面の作成周期に対応する時刻である。
【００４４】
一方、給電情報を受信していないと判別した場合（Ｓ１０６：ＮＯ）、画面データ変換装置１０は、タイマが所定時刻を計時したか否かを更に判別し（Ｓ１１３）、タイマが所定時刻を計時したと判別した場合（Ｓ１１３：ＹＥＳ）、制御所サーバ２に所定の信号を送信してこれから給電情報を受信し（Ｓ１１４）、次に、前述したステップＳ１０８の処理を実行する。
【００４５】
要求情報が残っていないと判別した場合（Ｓ１０８：ＹＥＳ）、画面データ変換装置１０は、カウンタ（例えばカウンタ１０１ｃ）をリセットし（Ｓ１０９）、要求情報が残っていると判別した場合（Ｓ１０８：ＮＯ）、画面データ変換装置１０は、カウンタを１だけインクリメントする（Ｓ１１５）。
【００４６】
また、画面データ変換装置１０は、前述したステップＳ１０６：ＹＥＳで受信した給電情報に基づいて生成するべき画面の要求情報を要求待ち情報記憶部に記憶させる（Ｓ１１０）。
【００４７】
また、画面データ変換装置１０は、カウンタの計数値が、閾値情報記憶部１１０ｂに記憶された積算時間の閾値に相当する所定値に達しているか否かを判別する（Ｓ１１１）。ここで、積算時間の閾値とは例えば６０分間であり、画面の作成周期が例えば１分間の場合、前記所定値は「６０」（６０分間÷１分間）となる。
【００４８】
カウンタの計数値が前記所定値に達していないと判別した場合（Ｓ１１１：ＮＯ）、画面データ変換装置１０は、前述したステップＳ１００の処理を再度実行する。
【００４９】
カウンタの計数値が前記所定値に達していると判別した場合（Ｓ１１１：ＹＥＳ）、画面データ変換装置１０は、スピーカ１１０ｄを通じてアラーム等を発し、過負荷（要求情報残存）状態の旨を管理者に通知する（Ｓ１１２）。また、画面データ変換装置１０は、これに接続された所定のディスプレイ上で、過負荷（要求情報残存）状態の旨を表示する。
【００５０】
次に、画面データ変換装置１０は、前述したステップＳ１０５の処理を再度実行する。
【００５１】
図５（ａ）の例示は、前述したステップＳ１０８：ＹＥＳ及びＳ１０９に対応するものである。例えば第１変換ユニット１０１は、１分間が経過する都度、要求待ち情報記憶部１０１ｆに５個の要求情報を格納するが、この格納の直前に、要求待ち情報記憶部１０１ｆに要求情報が残っていないと判別している。これは、第1変換ユニット１０１が、１分間以内に、５個以上の要求情報に対応する画面を作成可能であることを意味する。これにより、１分間が経過する都度、カウンタ１０１ｃはリセットされるため、前述したステップS１１１の判別では、カウンタ１０１ｃの計数値は常にゼロであって、よって第1変換ユニット１０１は自己を過負荷状態とは判別しない。
【００５２】
一方、図５（ｂ）の例示は、前述したステップＳ１０８：ＮＯ及びＳ１１５に対応するものである。例えば第１変換ユニット１０１は、１分間が経過する都度、要求待ち情報記憶部１０１ｆに１０個の要求情報を格納するが、この格納の直前に、要求待ち情報記憶部１０１ｆに要求情報が残っていると判別している。これは、第1変換ユニット１０１が、１分間以内に、１０個全ての要求情報に対応する画面を作成しきれないことを意味する。これにより、１分間が経過する都度、カウンタ１０１ｃの計数値は積算されるため、これを例えば６０回連続して繰り返すと、前述したステップＳ１１１でカウンタ１０１ｃの計数値は６０に達したと判別され、よって第1変換ユニット１０１は自己を過負荷状態と判別する。
【００５３】
＝＝＝画面作成装置の過負荷状態解消動作＝＝＝
図６乃至図９を参照しつつ、前述した構成を備えた画面データ変換装置１０が過負荷状態を自己検出した後、この過負荷状態を自動的に解消する動作について説明する。
【００５４】
<<<サイト割当設定変更>>>
図６に例示されるように、画面データ変換装置１０は、各変換ユニット（第１変換ユニット１０１、第２変換ユニット１０２、第３変換ユニット１０３、第４変換ユニット１０４）の画面作成枚数をその閾値で除算した比率が、全変換ユニットの画面作成枚数の合計値をその閾値の合計値で除算した比率に対して略等しいか或いは小さくなるように、各変換ユニットに対するサイトの割り当てを再設定する（Ｓ２００）。尚、同図は、本実施の形態の画面データ変換装置１０が過負荷状態を解消する際の処理手順の一例を示すフローチャートである。
【００５５】
図７において、第１変換ユニット１０１の画面作成枚数がその閾値を超過している場合の一例を示す。尚、同図は、本実施の形態の変換ユニットに対するサイトの割り当ての設定及び各変換ユニットの画面作成枚数とその閾値との比率の一つの例を示す図表である。同図の例示によれば、第１変換ユニット１０１にはサイトＡ、Ｂ、Ｃ、及びＤが割り当てられており、画面作成枚数のユニット内の合計値は８２０枚であるが、これを閾値８００枚で除算した比率は１０２．５％であるため、これは枚数超過を意味している。第２変換ユニット１０２にはサイトＥ、Ｆ、及びＧが割り当てられており、画面作成枚数のユニット内の合計値は７８０枚であり、これを閾値８００枚で除算した比率は９７．５％であるため、枚数超過ではない。第３変換ユニット１０３にはサイトＨ、Ｉ、及びＪが割り当てられており、画面作成枚数のユニット内の合計値は７１０枚であり、これを閾値８００枚で除算した比率は８８．７％であるため、枚数超過ではない。第４変換ユニット１０４にはサイトＫ、Ｌ、及びＭが割り当てられており、画面作成枚数のユニット内の合計値は１０９０枚であり、これを閾値１２００枚で除算した比率は９０．８％であるため、枚数超過ではない。以上、画面作成枚数の全ユニット内の合計値は３４００枚であり、これを閾値の合計値３６００枚で除算した比率は９４．４％であるため、この画面データ変換装置１０は、全体として枚数超過に陥ってはいない。
【００５６】
そこで、前述したステップＳ２００において、画面データ変換装置１０は、各変換ユニットの画面作成枚数をその閾値で除算した比率が、比率９４．４％に対して略等しいか或いは小さくなるように、設定情報記憶部１１０ｃに記憶されているサイト割当設定情報を変更する。
【００５７】
図８において、図７における第１変換ユニット１０１における枚数超過を解消した場合の一例を示す。尚、同図は、本実施の形態の変換ユニットに対するサイトの割り当ての設定及び各変換ユニットの画面作成枚数とその閾値との比率のもう一つの例を示す図表である。同図の例示によれば、第１変換ユニット１０１にはサイトＤ、Ｅ、及びＨが割り当てられており、画面作成枚数のユニット内の合計値は７５０枚であり、これを閾値８００枚で除算した比率は９３．７％であるため、もはや枚数超過ではない。第２変換ユニット１０２にはサイトＡ及びＭが割り当てられており、画面作成枚数のユニット内の合計値は７６０枚であり、これを閾値８００枚で除算した比率は９５．０％であるため、枚数超過ではない。第３変換ユニット１０３にはサイトＦ、Ｊ、及びＫが割り当てられており、画面作成枚数のユニット内の合計値は７６０枚であり、これを閾値８００枚で除算した比率は９５．０％であるため、枚数超過ではない。第４変換ユニット１０４にはサイトＢ、Ｃ、Ｇ、Ｉ、及びＬが割り当てられており、画面作成枚数のユニット内の合計値は１１３０枚であり、これを閾値１２００枚で除算した比率は９４．１％であるため、枚数超過ではない。
【００５８】
尚、前述した図７から図８へのサイトの再割り当ては、例えば、各変換ユニットに対するサイトＡ乃至Ｍのあらゆる割り当てを想定して、それぞれにおける比率を求め、最適な比率を与える割り当てを選択することにより得られるものである。但し、これに限定されるものではなく、サイトの再割り当ては、最適解を与える線形方程式を解く等の周知の方法によって得られるものであってもよい。
【００５９】
図６に戻って、前述したステップＳ２００の処理を、各変換ユニットの画面作成枚数がその閾値以下となるように実行できれば（Ｓ２０１：ＹＥＳ）、画面データ変換装置１０は、各変換ユニットを再起動する（Ｓ２０３）。
【００６０】
<<<作成周期設定変更>>>
一方、図６において、前述したステップＳ２００の処理を、各変換ユニットの画面作成枚数がその閾値以下となるように実行できなければ（Ｓ２０１：ＮＯ）、画面データ変換装置１０は、画面の作成周期がより長くなるように再設定する（Ｓ２０２）。
【００６１】
図９（ａ）において、前述した再割り当てを最適に行った結果、第４変換ユニット１０４の画面作成枚数がその閾値をいまだに超過している場合の一例を示す。尚、同図は、本実施の形態の変換ユニットに対するサイトの割り当ての設定及び各変換ユニットの画面作成枚数とその閾値との比率の更にもう一つの例を示す図表である。同図の例示によれば、第１変換ユニット１０１にはサイトＤ、Ｅ、Ｈ、及びＩが割り当てられており、画面作成枚数のユニット内の合計値は８００枚であり、これを閾値８００枚で除算した比率は１００％であるため、枚数超過ではない。第２変換ユニット１０２にはサイトＡ及びＭが割り当てられており、画面作成枚数のユニット内の合計値は７６０枚であり、これを閾値８００枚で除算した比率は９５％であるため、枚数超過ではない。第３変換ユニット１０３にはサイトＦ、Ｊ、及びＫが割り当てられており、画面作成枚数のユニット内の合計値は７６０枚であり、これを閾値８００枚で除算した比率は９５％であるため、枚数超過ではない。しかしながら、サイトＢ、Ｃ、Ｇ、及びＬが割り当てられている第４変換ユニット１０４では、画面作成枚数のユニット内の合計値は１０８０枚である一方、閾値が例えば１０００枚である場合には、これで画面枚数を除算した比率は１０８％であるため、これは枚数超過である。
【００６２】
このような場合、前述したステップＳ２０２において、画面データ変換装置１０は、設定情報記憶部１１０ｃに記憶されているサイト割当設定情報において、前述の第４変換ユニット１０４の画面作成枚数をその閾値で除算した比率１０８％に相当する倍率でもって画面の作成周期を長くしてから、前述したステップＳ２０３の処理を実行する。
【００６３】
図９（ｂ）に例示されるように、前述した図３（ｂ）の画面作成周期６０秒（１分）及び１８０秒（３分）が、１０８％に相当する１．０８倍されて、６５秒及び１９５秒とそれぞれ変更されている。尚、図９（ｂ）は、本実施の形態の画面の作成周期を設定するための作成周期設定情報のもう一つの構成例を示す図表である。このように、画面の作成周期が１．０８倍となれば、この時間内での第４変換ユニット１０４の画面作成枚数の閾値は、前記１０００枚を１．０８倍した１０８０枚となるため、画面作成枚数はその閾値以下となる。
【００６４】
＝＝＝過負荷状態を通知可能な画面作成装置＝＝＝
本実施の形態の画面データ変換装置１０によれば、画面の更新の都度、画面の作成枚数が閾値を超えるか否かが判別されて、もし作成枚数が閾値を超える場合には、過負荷状態の旨が例えば管理者に通知される。ここで、本実施の形態の閾値は、画面データ変換装置１０における各変換ユニットが処理可能な電力系統図の最大枚数に予め設定されている。よって、この画面データ変換装置１０は、これが過負荷状態となったときに、前記通知を確実に実行できる。
【００６５】
また、本実施の形態の画面データ変換装置１０によれば、所定時間（例えば６０分間）経過しても要求待ち情報記憶部（例えば要求待ち情報記憶部１０１ｆ）に要求情報が残っている場合には、過負荷状態の旨が管理者に通知される。ここで、前記所定時間が、画面データ変換装置１０における各変換ユニットの最大処理能力に対応するように予め設定された時間であれば、画面データ変換装置１０は、これが過負荷状態となったときに、前記通知を確実に実行できることになる。
【００６６】
また、本実施の形態の画面データ変換装置１０によれば、図４のステップＳ１０２に示されるように、画面の作成枚数の情報は、画面作画情報の更新時に制御所サーバ２から提供されるため、過負荷状態の判別を効率良く実行できる。
【００６７】
また、本実施の形態の画面データ変換装置１０によれば、図７に示されるように、１以上のサイトからなる４つのグループの一部（サイトＡ、Ｂ、Ｃ、及びＤのグループ）の画面の作成枚数が閾値を超えた場合、図８に示されるように、グループの再編成を行うことにより、４つのグループの各作成枚数が各閾値以下となるように調整できる。よって、画面データ変換装置１０の過負荷状態を解消することができる。
【００６８】
また、本実施の形態の画面データ変換装置１０によれば、管理者は、アラームの通知を受けると、過負荷状態を解消するための対応等を迅速に実行できる。
【００６９】
尚、本実施の形態では、画面データ変換装置１０のＣＰＵとＣＰＵに前述したステップＳ１０１の処理を実行させるプログラムが更新部に相当し、ＣＰＵとＣＰＵに前述したステップＳ１０３の処理を実行させるプログラムが判別部に相当し、ＣＰＵとＣＰＵに前述したステップＳ１０４又はＳ１１２の処理を実行させるプログラムが通知部に相当し、ＣＰＵとＣＰＵに前述したステップＳ２０２の処理を実行させるプログラムが設定部に相当し、ＣＰＵとＣＰＵに前述したステップＳ２００の処理を実行させるプログラムが調整部に相当し、ＣＰＵとＣＰＵに前述したステップＳ１０９の処理を実行させるプログラムが初期化部に相当する。
【００７０】
前述した画面データ変換装置１０は、図４のステップＳ１０５において過負荷状態を解消する処理を実行しているが、これに限定されるものではなく、例えば、少なくともステップＳ１０４又はＳ１１２における過負荷状態の通知を実行するだけであってもよい。
【００７１】
また、前述した画面データ変換装置１０は、画面の作成枚数超過の有無の判別及び要求情報残存の有無の判別の双方の判別の結果に基づいて過負荷状態を通知しているが、これに限定されるものではなく、前記何れか一方の判別の結果に基づいて通知を行うものであってもよい。
【００７２】
また、前述した画面データ変換装置１０は、図６のステップＳ２０２では、図９（ｂ）のように、第４変換ユニット１０４の比率である１０８％に相当する倍率で画面の作成周期を長く設定しているが、これに限定されるものではない。画面の作成周期は、予め定められた一定期間だけ長く設定するものであってもよい。
【００７３】
また、前述した画面データ変換装置１０は、図４のステップＳ１１１に示されるように、カウンタ（例えばカウンタ１０１ｃ）の計数値を解析することにより、要求情報が残存する時間が所定時間に達したか否かを判別していたが、これに限定されるものではない。画面データ変換装置１０は、例えば、タイマ（例えばタイマ１０１ｂ）が所定時間を計時したとき、要求情報が残存しているか否かを判別するものであってもよい。
【００７４】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００７５】
前述した実施の形態では、図４のステップＳ１０２に示されるように、画面作成枚数情報は、画面作画情報に含まれる形式で制御所サーバ２から送信されるものであったが、これに限定されるものではない。この画面作成枚数情報は、例えば、画面データ変換装置１０が画面作画情報に基づいて求めるものであってもよい。この場合、制御所サーバ２からは画面作成枚数情報を含まない画面作画情報が送信されればよい。
【００７６】
また、前述した実施の形態では、過負荷状態の通知を、スピーカ１１０ｄからのアラーム及び所定のディスプレイ上での過負荷状態の旨の表示により行うものであったが、これに限定されるものではなく、例えば、アラーム又は表示の何れか一方であってもよい。要するに、画面データ変換装置１０の管理者等に対し過負荷の旨を通知するための所定の手段であれば、いかなる手段を用いてもよい。
【図面の簡単な説明】
【００７７】
【図１】本実施の形態の画面データ変換装置を含む画面データ変換システムの構成例を示すブロック図である。
【図２】（ａ）は、本実施の形態の画面の作成要求の待ち行列を示す要求待ち情報の構成例を示す図表であり、（ｂ）は、本実施の形態の画面作成枚数を示す画面作成枚数情報の構成例を示す図表であり、（ｃ）は、本実施の形態の画面作成枚数の閾値を示す画面作成枚数閾値情報の構成例を示す図表である。
【図３】（ａ）は、本実施の形態の複数の変換ユニットに対するサイトの割り当てを設定するためのサイト割当設定情報の構成例を示す図表であり、（ｂ）は、本実施の形態の画面の作成周期を設定するための作成周期設定情報の構成例を示す図表である。
【図４】本実施の形態の画面データ変換装置が過負荷を検出して通知等を行う際の処理手順の一例を示すフローチャートである。
【図５】本実施の形態の要求待ち情報記憶部における要求情報の待ち行列の状態及びその状態の時間変化を示す模式図である。
【図６】本実施の形態の画面データ変換装置が過負荷状態を解消する際の処理手順の一例を示すフローチャートである。
【図７】本実施の形態の変換ユニットに対するサイトの割り当ての設定及び各変換ユニットの画面作成枚数とその閾値との比率の一つの例を示す図表である。
【図８】本実施の形態の変換ユニットに対するサイトの割り当ての設定及び各変換ユニットの画面作成枚数とその閾値との比率のもう一つの例を示す図表である。
【図９】（ａ）は、本実施の形態の変換ユニットに対するサイトの割り当ての設定及び各変換ユニットの画面作成枚数とその閾値との比率の更にもう一つの例を示す図表であり、（ｂ）は、本実施の形態の画面の作成周期を設定するための作成周期設定情報のもう一つの構成例を示す図表である。
【符号の説明】
【００７８】
１  画面データ変換システム      ２  制御所サーバ      ３、４  通信網
５  端末      １０  画面データ変換装置      ２０  ＷＷＷサーバ
１００  コンテンツ作成部      １０１  第１変換ユニット      １０１ａ  ＣＰＵ
１０１ｂ  タイマ      １０１ｃ  カウンタ      １０１ｄ  画面作画情報記憶部
１０１ｅ  給電情報記憶部      １０１ｆ  要求待ち情報記憶部
１０２  第２変換ユニット      １０３  第３変換ユニット
１０４  第４変換ユニット      １１０  システム管理部
１１０ａ  画面作成枚数情報記憶部      １１０ｂ  閾値情報記憶部
１１０ｃ  設定情報記憶部      １１０ｄ  スピーカ
１２０  コンテンツ提供部      １２０ａ  コンテンツ情報記憶部
【図１】
2008125287.tif 000003
【図２】
2008125287.tif 000004
【図３】
2008125287.tif 000005
【図４】
2008125287.tif 000006
【図５】
2008125287.tif 000007
【図６】
2008125287.tif 000008
【図７】
2008125287.tif 000009
【図８】
2008125287.tif 000010
【図９】
2008125287.tif 000011